【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
人体用支持要素、または、車両、自転車もしくはオートバイ用サドルであって、支持構造（２）を備え、前記支持要素は、各端部または縁部（３ｃ，３ｄ）において前記支持構造（２）に固定されている少なくとも１つの織物部分（３）を備える、支持要素またはサドル。
【請求項２】
前記少なくとも１つの織物部分（３）は、少なくとも１本の第１のフィラメント、または、隣合うように配置された実質的に平行な編まれた第１の一連のフィラメントを含む、請求項１に記載の支持要素。
【請求項３】
前記第１のフィラメント（３ａ）は複数の主要部分を含み、前記主要部分は、実質的に互いに平行であり、実質的に長手または前（Ｆ）後（Ｒ）方向に延在し、前記主要部分は、前記支持要素の先端または後端において２つずつ接続されている、請求項２に記載の支持要素。
【請求項４】
前記第１のフィラメント（３）の前記主要部分は、前記織物部分が長手方向に延在する部分全体にわたり、かつ前記織物部分が横方向に延在する部分の少なくとも一部にわたり、連続的に隣合わせで延在している、請求項３に記載の支持要素。
【請求項５】
前記少なくとも１本のフィラメントまたは前記第１の一連のフィラメント（３ａ）は、高密度ポリエチレン、ポリエチレン、ポリアミドまたはポリエステル等の第２の材料からなるフィラメントと混合されたポリエチレンからなる、請求項２〜４のいずれか１項に記載の支持要素またはサドル。
【請求項６】
前記少なくとも１本の第１のフィラメント（３ａ）の直線伸び率、すなわち各フィラメントの主な延在方向に平行な方向における伸び率は、３％未満、好ましくは２％以下である、請求項２〜５のいずれか１項に記載の支持要素またはサドル。
【請求項７】
前記織物部分（３）は、前記支持要素またはサドルの一方の側部（Ｓ１）から他方の側部（Ｓ２）まで延在するとともに前部（Ｆ）から後部（Ｒ）まで延在している、請求項１〜６のいずれか１項に記載の支持要素またはサドル。
【請求項８】
前記織物部分（３）は、各端部または縁部（３ｃ，３ｄ）のみにおいて前記支持構造（２）によって支持され、前記織物部分（３）の中間または中央部分（３ｅ）は実質的に固定されていない、すなわち前記支持要素またはサドルの他の部品上に載っていない、請求項１〜７のいずれか１項に記載の支持要素またはサドル。
【請求項９】
前記少なくとも１つの織物部分（３）は、前記第１のフィラメント（３ａ）と編み合わされたまたはその上において編み合わされた少なくとも１本の第２のフィラメント（３ｂ）または第２の一連のフィラメントを含む、請求項１〜８のいずれか１項に記載の支持要素またはサドル。
【請求項１０】
前記少なくとも１本の第２のフィラメント（３ｂ）は、一緒に編み合わされて溶融されかつ前記第１のフィラメントまたは第１の一連のフィラメント（３ａ）と一緒に編み合わされて溶融されている、請求項９に記載の支持要素またはサドル。
【請求項１１】
前部（Ｆ）と、後部（Ｒ）と、２つの側部（Ｓ１，Ｓ２）とを備え、前記支持構造（２）は、フォーク（４）と、前記フォーク（４）の先端（４ａ）上に装着または先端（４ａ）に接続された第１のブロックまたは中空（５）または固定（１０ａ）部分と、前記フォーク（４）の後部（４ｂ）上に装着または後部（４ｂ）に接続された第２のブロックまたは中空（６）または固定（１０ｂ）部分とを含み、前記少なくとも１つの織物部分（３）は、前記第１の部分（５，１０ａ）上に嵌められたまたはそこに固定された第１の前部分（３ｃ）の範囲を定め、かつ、前記第２の部分（６，１０ｂ）上に嵌められたまたはそこに固定された第２の後部分（３ｄ）の範囲を定め、前記少なくとも１つの織物部分（３）は、ユーザ用の座面（７）の上側の範囲を定める、請求項１〜１０のいずれか１項に記載のサドル。
【請求項１２】
前記第１のフィラメント（３ａ）は、前記サドルの長手方向の延在部分に対してまたは後部（Ｒ）から前部（Ｆ）への方向（Ａ−Ａ）に対して平行である、請求項２および１１に記載のサドル。
【請求項１３】
前記第１の前部分（３ｃ）および／または前記第２の後部分（３ｄ）はポケット部分（３ｃ，３ｄ）を含み、前記ポケット部分（３ｃ，３ｄ）は、実質的に各ブロックまたは中空部分（５，６）の挿入部およびハウジング開口（Ｏ１，Ｏ２）の範囲を定める、請求項１１または１２に記載のサドル。
【請求項１４】
前記少なくとも１つの固定部分は、前記織物部分（３）の張力付与部分（１０ａ，１０ｂ）を含む、請求項１１〜１３のいずれか１項に記載のサドル。
【請求項１５】
前記張力付与部分（１０ａ，１０ｂ）は、前記織物部分（３）の各縁セグメントの挿入スリットを画定し、前記スリット内の前記織物部分（３）の縁部を固定するように配置されたクランプ手段（１０ｃ，１０ｄ）をさらに含む、請求項１４に記載のサドル。
【請求項１６】
請求項１〜１５のいずれか１項に記載の支持要素またはサドルの装着方法であって、
−織物部分（３）を作製するステップと、
−接近可能−離隔可能な少なくとも２つのサポート要素（１１，１２）をメインフレーム（１３）上に配置するステップと、
−前記支持構造（２）の少なくとも２つの部分（５，６，１０ａ，１０ｂ）各々を、対応するサポート要素（１１，１２）の上に配置するステップと、
−前記織物部分（３）の端部または縁部（３ｃ，３ｄ）を、前記支持構造（２）の部分（５，６，１０ａ，１０ｂ）上に嵌めるまたは固定するステップと、
−前記サポート要素（１１，１２）を移動させて前記支持構造の２つの部分（５，６，１０ａ，１０ｂ）を離隔させることにより前記織物部分（３）を伸ばすステップと、
−前記織物部分（３）を前記支持構造（２）の部分（５，６，１０ａ，１０ｂ）とともに前記サポート要素（１１，１２）から外すステップとを含む、方法。
【請求項１７】
前記ブロックもしくは中空部分（５，６）または前記固定部分（１０ａ，１０ｂ）は各々、対応するサポート要素（１１，１２）上に配置および固定され、前記サポート要素（１１，１２）が接近位置にあるとき、前記織物部分（３）の先端（３ｃ）がその部分（５，１０ａ）上に嵌められまたはその部分に固定され、前記織物部分（３）の後端（３ｄ）が他方の部分（６，１０ｂ）上に嵌められまたはその部分に固定され、その後、前記サポート要素（１１，１２）を離隔させることにより、前記織物部分（３）および特に前記織物部分の中間または中央部分（３ｅ）を引き伸ばす、サドル（１）を得るための請求項１６に記載の方法。
【請求項１８】
前記織物部分（３）を、前記支持構造（２）の部分（５，６，１０ａ，１０ｂ）とともに取外すステップの前または後に、スペーサ部分またはフォーク（４）を前記支持構造（２）の前記少なくとも２つの部分（５，６，１０ａ，１０ｂ）に接続または固定する、請求項１６または１７に記載の方法。
【手続補正２】
【補正対象書類名】明細書
【補正対象項目名】００２０
【補正方法】変更
【補正の内容】
【００２０】
加えて、好ましくは、織物部分３は、支持構造上で張力またはわずかな張力が加えられた状態で配置されている、すなわち、織物部分３は、撓まない、またはいかなる場合でも使用中はピンと張った状態にならない。より具体的には、織物部分３は、第１のフィラメント３ａが張力を受けてまたは伸びてユーザまたは運動選手の体重を支えられるようにピンと張られた状態である。
【手続補正３】
【補正対象書類名】明細書
【補正対象項目名】００４０
【補正方法】変更
【補正の内容】
【００４０】
よって、各突出部４ｃ、４ｄは、互いに対して傾斜している２つの部分を含み得る。より具体的には、先端４ａから後部４ｂにかけて、使用時に水平方向または水平方向からわずかに傾斜しており後端（すなわち先端４ａから遠く後部４ｂに近い）の高さがその前端よりも低い第１の実質的に直線状の部分４ｃ１、４ｄ１と、次に、対応する第１の部分４ｃ１、４ｄ１に対して６０°と１２０°との間の角度、好ましくは８０°〜１００°の角度で傾斜しており前端（すなわち先端４ａに近く後部４ｂから遠い）の高さがその後端よりも遥かに低い第２の部分４ｃ２、４ｄ２とを含む。第２の部分４ｃ２、４ｄ２は、使用中水平方向からさらに傾斜している。
【手続補正４】
【補正対象書類名】明細書
【補正対象項目名】００５２
【補正方法】変更
【補正の内容】
【００５２】
特に、支持要素がサドル１の場合は、支持構造２のブロックもしくは中空部分５、６または固定部分１０ａ、１０ｂを配置し、各々を、たとえばねじまたはボルトで対応するサポート要素１１、１２上に固定する。サポート要素１１、１２が接近位置にあるときに、織物部分３の先端３ｃをその部分５、１０ａ上に嵌めまたはその部分５、１０ａに固定し、織物部分３の後端３ｄを部分６、１０ｂ上に嵌めるまたは部分６、１０ｂに固定する。次に、サポート要素１１、１２を離隔させることによって、織物部分３を、特に中間または中央部分３ｅを、第１のフィラメント３ａが０．５％と３％の間の伸びを示すように、引き伸ばす。